(57)【要約】【課題】  本考案は、ゲル化紙おむつに電解質溶液を作用させてゲルを液状化する【構成】  本考案の構成は次の通りである。水溶液が通過出来るように小さな水切り穴が多数開けられている仕切り板１２を設け、処理槽固形室１３と処理槽溶液室１４に分けられた処理槽本体１１が有る。廃棄物投入口扉１５を開けて、紙おむつを処理槽固体室１３の中に投入し、貯留槽１８からポンプ１９で食塩水を処理層固体室１３に注入し、ゲルを液状化する。バルブ２３を開けて水溶液を貯留槽１８に移せば、水を含まない紙おむつとその他の廃棄物だけが処理層固体室１３に残る。貯留槽１８から必要量の食塩水を処理槽１１に注入して、水蒸気で高温高圧の状態を作ることによって食塩水は、亜臨界水になる。この亜臨界水の作用で廃棄物は加水分解される。【選択図】図１
2007314738.tif 000002
【特許請求の範囲】
【請求項１】
廃棄物としてゲル化したイオン架橋型高吸水性樹脂に高濃度の電解質溶液を作用させることによって、当該ゲルを液化させ電解質溶液との混合溶液を得、過大な量の混合溶液は一時貯留し、必要量の混合溶液を加水分解等による処理工程で用いることを特徴とする廃棄物処理方法。
【請求項２】
前記電解質溶液として食塩水を用いたことを特徴とする請求項１記載の廃棄物処理方法。
【請求項３】
前記処理工程として、亜臨界水での加水分解等による廃棄物処理工程としたことを特徴とする請求項１記載の廃棄物処理方法。
【発明の詳細な説明】
【技術分野】
【０００１】  本発明は、廃棄物としての紙おむつ、携帯用簡易トイレ、失禁パッド、生理用ナプキンなどの衛生用品、手術用シート、医療廃液を固化した廃棄物などそのほか、水を吸収してゲル化したイオン架橋型高吸水性樹脂の脱水および脱水した水の亜臨界水としての廃棄物処理方法に関する。
【背景技術】
【０００２】  従来、水を吸収してゲル化したイオン架橋型高吸水性樹脂の廃棄物は、処理場の焼却炉で、他の廃棄物と一緒に重油などを使って燃焼させているのが主たる方法である。脱水などの特別な処理はしていない。【０００３】  この他に、密閉された容器の中を事実上無酸素状態にして廃棄物を炭化させる方法や更に容器内を高圧にしてかつ、高温水蒸気で亜臨界水をつくり廃棄物を加水分解して炭化する方法なとがある。この場合も脱水などの処理はしていない。【０００４】  なお、本願発明に関連する公知技術として特許文献１、非特許文献１及び非特許文献２を挙げることができる。【０００５】
【特許文献１】  特開２０００−３１３８８４号公報
【非特許文献１】  「北海道新聞」、平成１６年８月３日
【非特許文献２】  「高分子吸収材の吸水力に及ぼす塩分濃度の影響」、「化学と教育、Ｖｏｌ．４４  Ｎｏ．３１９９６年」、高木盛雄、日本化学会、１３５頁
【発明の開示】
【発明が解決しようとする課題】
【０００６】  紙おむつや衛生用品などに使われているイオン架橋型高吸水性樹脂は自重の数百倍もの水を吸収しているのをそのままの状態で燃焼している。この水を除去して廃棄物の量を少なくし、燃料補助材などに転化し、燃焼処理は最終手段にすべきである。さらに、除去した水も液体廃棄物として処理せずに他の用途に用いる工夫が必要である。【０００７】  前述の亜臨界水の処理方法は３０気圧で温度は２５０℃位で、脱水などの前処理をしなければ、イオン架橋型高吸水性樹脂が水を吸収してゲル化したのが餅のようにべたべたして分解されずに残る。
【課題を解決するための手段】
【０００８】  上述の目的を達成する本発明の廃棄物処理方法は、廃棄物としてゲル化したイオン架橋型高吸水性樹脂に高濃度の電解質溶液を作用させることによって、当該ゲルを液化させ電解質溶液との混合溶液得、過大な量の混合溶液は一時貯留し、必要量の混合溶液を加水分解等による処理工程で用いることを特徴とする。【０００９】  一例として前記電解質溶液として食塩水を用いる。【００１０】  さらに一例として前記処理工程として、亜臨界水による加水分解等による廃棄物処理工程としたことである。
【発明の効果】
【００１１】  以上説明したように本発明による効果を、吸水材として架橋型ポリアクリル酸ナトリウムを使用している紙おむつと電解質溶液として食塩水を用いた場合を一例として説明する。水で膨潤した紙おむつを食塩水の中に入れるとゲル内のナトリウムイオンの濃度が食塩水のなかのそれよりも低ければ、浸透圧の関係で水はゲル外へ出てゲルは液状化する。架橋型ポリアクリル酸ナトリウムが食塩水に溶解したような状態になる。この架橋型ポリアクリル酸ナトリウムが食塩水に溶け込んた混合溶液と、溶解しなかったその他の残渣を分離すれば混合溶液と最低限の吸水状態の紙おむつが得られる。過大な量の混合溶液は一部を一時貯留し、必要量を前述の最低限の吸水状態の紙おむつと一緒に、次に説明する加水分解処理をする。【００１２】  容器を密閉して気圧を３０気圧、温度を２５０℃位にすれば混合溶液は亜臨界水になり脱水された紙おむつの構成素材である不織布、吸収紙、綿状パルプなどやその他の廃棄物は加水分解される。木材、紙、繊維などは加水分解に多くの水を必要とするので、そのようなときは一時貯留した混合溶液を再使用して加水分解処理を行う。【００１３】  以上説明したように本発明の廃棄物処理方法は、紙おむつが多いときは混合溶液を一時貯留し、少ないときは貯留した混合溶液を再使用することによって、紙おむつ等の脱水およびその後の廃棄物の加水分解等の処理工程に極めて有効である。【００１４】  さらに、本発明の廃棄物処理方法は、脱水した水を新たに液体廃棄物として処理するのではなく、この水は加水分解によって生成する分子の一部に転換されるので極めて有用である。
【発明を実施するための最良の形態】
【００１５】  以下、本発明の実施の形態を図面に基づき詳細に説明する。【００１６】  図１は本発明の実施の形態に係わり、そのブロック線図である。【００１７】  図１に示すように、処理槽１１は仕切り板１２によって処理槽固形室１３と処理槽溶液室１４に区分けされている。仕切り板１２は多数の小さい穴が開けられていて溶液と固形物が簡単に分別出来るようになっている。処理槽固形室１３には廃棄物投入口扉１５と廃棄物取り出し口扉１６が設けられていて、この二つの扉は気密性を維持できる構造である。【００１８】  バルブ１７を通して高濃度に調整された食塩水を貯留槽１８に貯留しておく。廃棄物投入口扉１５を開いて紙おむつ等の廃棄物を処理槽固形室１３に投入し、廃棄物投入口扉１５を閉じる。貯留槽１８に貯留しておいた食塩水をポンプ１９で流量計２０と導電率計２１バルブ２２を通して処理槽１１に注入する。ここで注入した量と導電率計によるイオン濃度を記録しておく。【００１９】  処理槽１１の中では紙おむつ等の中の架橋型ポリアクリル酸ナトリウムが食塩水に溶解したような状態になる。この架橋型ポリアクリル酸ナトリウムが食塩水に溶け込んだ混合溶液を貯留槽１８に回収するためバルブ２３とバルブ２４を開けば、混合溶液は導電率計２５、流量計２６を通って回収される。ここで回収した量と導電率計によるイオン濃度を記録しておく。【００２０】  食塩水を処理槽１１に入れたときと回収したときに、夫々溶液の量とイオン濃度を記録したが、これは処理槽内部の状況を把握してより良い運転条件を見つけるための情報として役立てるためである。【００２１】  処理槽１１の中の混合溶液を全部回収したので、中にある廃棄物の種類を勘案して適当量の混合溶液を、ポンプ１９で流量計２０と導電率計２１バルブ２２を通して処理槽１１に再度注入し、注入した量と導電率計によるイオン濃度を記録しておく。【００２２】  廃棄物投入口扉１５と廃棄物取り出し口扉１６およびバルブ２２とバルブ２３が、完全に閉じているのを確認してから、バルブ２７とバルブ２８を開き、高温高圧水蒸気発生装置２９に接続する。水蒸気はバルブ２７を通して処理槽１１に至り内部を充満し、バルブ２８を通して高温高圧水蒸気発生装置２９に還流する。気圧と温度を徐々に上げてゆき、３０気圧、２５０℃位で水は液相で存在するから混合溶液は亜臨界水になり脱水された紙おむつの不織布、吸収紙、綿状パルプなどの構成素材やその他の廃棄物を加水分解する。【００２３】  実施例では電解質溶液として食塩水について説明しているが、食塩水に限定されたものではない。例えば塩化カリウム、硫酸ナトリウムなどでも同等の効果が得られる。【００２４】  同様に３０気圧、２５０℃位の亜臨界水で説明したが、これに限定されたものではなく気圧温度共に高くなるに従って加水分解は起こり易くなる。亜臨界水と言われているのは２２０気圧、３７４℃の臨界点までである。
【実施例】
【産業上の利用可能性】
【００２５】  本発明は紙おむつのリサイクル分野で利用することができる。
【図面の簡単な説明】
【００２６】
【図１】  図１は本発明の実施の形態係わる廃棄物処理方法のブロック線図である。
【符号の説明】
【００２７】１１            処理槽本体
１２            仕切り板
１３            処理槽固形室
１４            処理槽溶液室
１５            廃棄物投入口扉
１６            廃棄物取り出し口扉
１７            バルブ
１８            貯留槽
１９            ポンプ
２０            流量計
２１            導電率計
２２            バルブ
２３            バルブ
２４            バルブ
２５            導電率計
２６            流量計
２７            バルブ
２８            バルブ
２９            高温高圧水蒸気発生装置
【図１】
2007314738.tif 000003